(57)【要約】  【課題】  特殊な材料や複雑な装置を用いることなく簡単に製造することができ、光ヘッドの組み立ての手間、時間を短縮することができ、コリメータレンズに傷がつくのを防ぐことができる光ヘッド組立治具を提供する。  【解決手段】  光ヘッド組立治具３は、基盤部材３０と、コリメータレンズＬｃを非接触に包囲するコリメータレンズ包囲部３１と、アクトベース２１を支持するアクチュエータ支持部３２と、フロントモニタ用受光素子Ｆｄを取り付けた支持基板１３１の上部を押圧し、アクトベース２１を支持する支持押圧部３３と、アクチュエータ取付部１１と係合する係合部３４と、支持基板１３１の下部を押えるＦＳＰＤ押え部３５と、スライドベース１を挟持するクランプ部３６と、把持部３７とを有する光ヘッド組立治具Ａ。【選択図】      図４
2006302382.tif 000002
【特許請求の範囲】
【請求項１】
光ディスクにレーザ光を照射する光ヘッドの組立時に、該光ディスクを構成するスライ
ドベースとアクチュエータとの間に配置され、組み立て終了後に所定の摺動方向に摺動す
ることで取り外される治具であって、
前記スライドベースに接触配置される基盤部材と、
前記基盤部材に形成される切欠きであって、前記摺動方向の下流側に開口を有し、前記
スライドベースに配置されたコリメータレンズを非接触で包囲するコリメータレンズ包囲
部と、
前記コリメータレンズ包囲部に隣設され、前記基盤部材の上面側に突出するともに前記
摺動方向に延び前記アクチュエータの底部を支持する２個のアクチュエータ支持部と、
前記基盤部材の上面側に突出し、前記摺動方向に延び前記アクチュエータの底部を支持
するとともに前記スライドベースに取り付けられ、フロントモニタ用受光素子の上部を前
記該摺動方向と直交する方向に押圧する支持押圧部と、
前記基盤部材に形成される切欠きであって、前記摺動方向の下流側に開口を有し、前記
スライドベースに形成されるアクチュエータ取付部と係合する２個の係合部と、
前記基盤部材の前記摺動方向の上流側端部に形成され、前記基盤部材の端部から下面側
に突出する連結部と、前記連結部と連結し前記基盤部材と対向するとともに、前記摺動方
向に配置された支持部と、前記支持部に直角になるように連結し、前記摺動方向に延設さ
れるとともに前記フロントモニタ用受光素子を前記スライドベースのＦＳＰＤ取付部に押
圧する押え部とを備えるＦＳＰＤ押え部と、
前記基盤部材の前記摺動方向の上流側端部形成され、前記基盤部材の端部から下面側に
突出する連結部と、前記連結部に連設され、前記基盤部材と対向するとともに、前記摺動
方向に延設されるスライドベース押え部とを備える２個のクランプ部と、
前記基盤部材の前記摺動方向の上流側端部に該摺動方向に延設される把持部とを有して
おり、
金属板を切り曲げることで形成され、前記アクチュエータ支持部及び支持押圧部の突出
高さは前記スライドベースに配置したときに前記コリメータレンズの露出部の高さよりも
高くなるように形成されていることを特徴とする光ヘッド組立治具。
【請求項２】
光ディスクにレーザ光を照射する光ヘッドの組立時に、該光ディスクを構成するスライ
ドベースとアクチュエータとの間に配置され、組み立て終了後に所定の摺動方向に摺動す
ることで取り外される治具であって、
前記スライドベースに接触配置される基盤部材と、
前記基盤部材に形成される切欠きであって、前記摺動方向の下流側に開口を有し、前記
スライドベースに配置されたコリメータレンズを非接触で包囲するコリメータレンズ包囲
部と、
前記コリメータレンズ包囲部に隣設され、前記基盤部材の上面側に突出するともに前記
摺動方向に延び前記アクチュエータの底部を支持する１又は複数個のアクチュエータ支持
部と、
前記基盤部材の上面側に突出し、前記摺動方向に延び前記アクチュエータの底部を支持
するとともに前記スライドベースに取り付けられるフロントモニタ用受光素子の上部を前
記該摺動方向と直交する方向押圧する支持押圧部と、
前記基盤部材に形成される切欠きであって、前記摺動方向の下流側に開口を有し、前記
スライドベースに形成されるアクチュエータ取付部と係合する１又は複数個の係合部と、
前記基盤部材の前記摺動方向の上流側に連結し、前記フロントモニタ用受光素子を前記
スライドベースのＦＳＰＤ取付部に押圧するＦＳＰＤ押え部と、
前記基盤部材の前記摺動方向の上流側端部に連結し、前記スライドベースを挟持する１
又は複数個のクランプ部とを有しており、
前記アクチュエータ支持部及び支持押圧部の突出高さは前記スライドベースに配置した
ときに前記コリメータレンズの露出部の高さよりも高くなるように形成されていることを
特徴とする光ヘッド組立治具。
【請求項３】
樹脂の一体成形にて製造されることを特徴とする請求項２に記載の光ヘッド組立治具。
【請求項４】
金属板をプレス加工にて切り曲げることで製造されることを特徴とする請求項２に記載
の光ヘッド組立治具。
【発明の詳細な説明】
【技術分野】
【０００１】
本発明は、光ディスクにレーザ光を照射し該光ディスクに記録されているデータを読み
出したり、該光ディスクに書き込んだりする光ヘッドを組み立てるときに用いられる光ヘ
ッド組立治具に関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は光ディスクの記録面に対しレーザ光を照射し、反射してきた光を検
出する光ヘッドを備えている。
【０００３】
図１に光ヘッドの配置図を示す。図１に示す光ヘッドはそれには限定されないがここで
は、光ディスクに記録されているデータを読出す読出し専用の光ヘッドである。図１に示
すようにレーザ光源Ｌｄと、レーザ光を３ビーム化するグレーティングＧｒと、１／４波
長板Ｑｂと、ミラーＭｒと、コリメータレンズＬｃと、対物レンズＬｂと、ハーフミラー
Ｈｍと、受光素子Ｐｄと、フロントモニタ用受光素子Ｆｄとを有している。
【０００４】
レーザ光源Ｌｄより照射されたレーザ光グレーティングＧｒにて３ビーム化され、レー
ザ光は１／４波長板Ｑｂにて偏光され、ミラーＭｒで反射されてコリメータレンズＬｃに
入射する。コリメータレンズＬｃに入射したレーザ光は平行光として出射され対物レンズ
Ｌｂに入射する。対物レンズＬｂに入射したレーザ光は集光され光ディスクＤｓの記録面
にレーザスポットとして照射される。
【０００５】
このときレーザ光は光軸と光ディスクＤｓの記録層とが垂直になるようにレーザ光を照
射する。ハーフミラーＨｍは入射されたレーザ光の半分を透過し半分を反射するミラーで
あり、光ディスクＤｓで反射した光を受光素子Ｐｄに導くものである。受光素子Ｐｄは光
を電流に変換するものであり、光の強さによってデータを読み取るものである。
【０００６】
また、フロントモニタ用受光素子Ｆｄはレーザ光源より出射されミラーＭｒの反射領域
から外れたレーザ光を受光し、レーザ光源Ｌｄより出射されるレーザ光の強度を測定する
。レーザ光源Ｌｄは熱等の外因によって出力が変動するので、フロントモニタ用受光素子
Ｆｄで測定したレーザ光の強度を基に出力を調整することで、レーザ光源Ｌｄは常に一定
強度のレーザ光を出射することができる。
【０００７】
図１０に光ヘッドの組立時の側断面図を示す。光ヘッドＢはスライドベース９１と、ス
ライドベース９１に取り付けられるアクチュエータ９２とを有している。スライドベース
９１はアクチュエータ９２を配置するためのアクチュエータ取付部９１１と、レーザ光源
Ｌｄを取り付けるための光源取付部９１２と、フロントモニタ用受光素子Ｆｄを取り付け
るためのＦＳＰＤ取付部９１３と、スライドベース９１が摺動するときに摺動ガイドとな
るガイド軸と摺動可能に係合するための摺動孔９１４とを備えている。
【０００８】
スライドベース９１には、レーザ光源Ｌｄ、グレーティングＧｒ、ハーフミラーＨｍ、
１／４波長板Ｑｂ、ミラーＭｒ、コリメータレンズＬｃ、フロントモニタ用受光素子Ｆｄ
とが配置される。レーザ光源ＬｄはレーザホルダＬｈに圧入固定されるものであり、レー
ザホルダＬｈをスライドベース９１の光源取付部９１２に取り付けることで、レーザ光源
Ｌｄをスライドベース９１に取り付けることができる。レーザホルダＬｈはレーザ光源Ｌ
ｄのレーザ光出射部がスライドベース９１の内側を向くように取り付けられている。
【０００９】
アクチュエータ９２はアクトベース９２１と、対物レンズＬｂを保持するレンズホルダ
９２２と、アクトベース９２１に固定される支持部材９２３と、レンズホルダ９２２と支
持部材９２３を連結し、レンズホルダ９２２に電力を供給するとともに弾性支持するワイ
ヤーばね９２４とを有している。
【００１０】
レンズホルダ９２２は中央に対物レンズＬｄを保持し、レーザ光が透過するための貫通
孔が形成されており、永久磁石９２０に挟まれるように配置されている。レンズホルダ９
２２にはレンズホルダ９２２を駆動しレンズホルダ９２２に保持されている対物レンズＬ
ｂと光ディスクＤｓとの距離を調整するフォーカシングコイル（図示省略）と、対物レン
ズＬｂを光ディスクＤｓの半径方向に移動させるためのトラッキングコイル（図示省略）
とを備えている。
【００１１】
アクチュエータ９２はスライドベース９１に接着剤にて固定される。アクトベース９２
１はアクチュエータ９２をスライドベース９１に配置したときにアクチュエータ取付部９
１１に対応する場所に取付孔９２５が形成されており、アクチュエータ９２の傾角、位置
を調整した後、スライドベース９１のアクチュエータ取付部９１１とアクトベース９２の
取付孔９２５とを係合して接着剤にて接着し、組み立てられる。
【００１２】
光ヘッドＢの組み立ては次のようにして行われる。まず、スライドベース９１にレーザ
光源Ｌｄ、グレーティングＧｒ、ハーフミラーＨｍ、１／４波長板Ｑｂ、受光素子Ｐｄ、
ミラーＭｒ、コリメータレンズＬｃ及びフロントモニタ用受光素子ＦｄをＦＳＰＤ取付部
９１３に配置し、接着する。
【００１３】
次に、アクチュエータ２をスライドベース１の取付け位置に配置する。傾角及び位置を
調節するため、アクチュエータ２をアクチュエータ調整具９３にて持ち上げ支持する。ア
クチュエータ調整具９３を動かすことでアクチュエータ２の傾角及び位置を調節し、スラ
イドベース９１に接着して光ヘッドを完成する。
【特許文献１】特開２００２−８３４４３号公報
【特許文献２】特開２００２−２８８８６３号公報
【発明の開示】
【発明が解決しようとする課題】
【００１４】
図１０に示すようにフロントサイド用受光素子Ｆｄは、基板９４と接続された後に、ス
ライドベース１の側面に形成されたＦＳＰＤ取付部９１３に取り付けられるものである。
しかしながら、配置から接着までの間、フロントサイド用受光素子ＦｄとＦＳＰＤ取付部
９１３とのわずかな係合によって支持されているので、支持が不十分であることが多い。
【００１５】
また、フロントサイド用受光素子Ｆｄと基板９４とが接続されった状態になっているの
で、フロントサイド用受光素子Ｆｄと基板９４とを見ると、バランスが悪く、不安定で、
フロントサイド用受光素子ＦｄがＦＳＰＤ取付部９１３からずれたり、脱落したりしやす
い。
【００１６】
また、スライドベース９１にアクチュエータ９２を配置し傾角調整するまでの間は、ア
クトベース９２１とスライドベース９１の間の間隙が十分に確保できない。このとき、ス
ライドベース９１に取り付けられたコリメータレンズＬｃとアクトベース９２１とが接触
し、コリメータレンズＬｃを傷つけてしまうことがある。コリメータレンズＬｃを傷つけ
てしまうと、光ディスクｄｓに照射されるレーザ光が乱れてしまい、光ディスクＤｓに記
録されているデータの読出し、光ディスクＤｓへのデータの書込みの精度が低下する。
【００１７】
そこで本発明は、光ヘッドを組み立てるときの組立の手間及び時間を減らすことができ
、それだけ、短時間で効率よく光ヘッドを組み立てるときに用いられる光ヘッド組立治具
を提供することを目的とする。
【００１８】
また本発明は、光ヘッドを組み立てるときにスライドベースに取り付けられるコリメー
タレンズと、アクチュエータのアクトベースが干渉、接触するのを防ぎ、前記光ヘッドの
組立時に前記コリメータレンズに傷がつくのを防止する光ヘッド組立治具を提供すること
を目的とする。
【００１９】
さらに本発明は、簡単な構造を有し、特殊な材料や複雑な装置を用いることなく簡単に
製造することができ、光ヘッドの組み立ての手間、時間を短縮することができ、スライド
ベースに取り付けられるコリメータレンズと、アクチュエータのアクトベースが干渉、接
触するのを防ぎコリメータレンズに傷がつくのを防ぐことができる光ヘッド組立治具を提
供することを目的とする。
【課題を解決するための手段】
【００２０】
上記目的を達成するために本発明は、光ディスクにレーザ光を照射する光ヘッドの組立
時に、該光ディスクを構成するスライドベースとアクチュエータとの間に配置され、組み
立て終了後に所定の摺動方向に摺動することで取り外される治具であって、前記スライド
ベースに接触配置される基盤部材と、前記基盤部材に形成される切欠きであって、前記摺
動方向の下流側に開口を有し、前記スライドベースに配置されたコリメータレンズを非接
触で包囲するコリメータレンズ包囲部と、前記コリメータレンズ包囲部に隣設され、前記
基盤部材の上面側に突出するともに前記摺動方向に延び前記アクチュエータの底部を支持
する２個のアクチュエータ支持部と、前記基盤部材の上面側に突出し、前記摺動方向に延
び前記アクチュエータの底部を支持するとともに前記スライドベースに取り付けられ、フ
ロントモニタ用受光素子の上部を前記該摺動方向と直交する方向に押圧する支持押圧部と
、前記基盤部材に形成される切欠きであって、前記摺動方向の下流側に開口を有し、前記
スライドベースに形成されるアクチュエータ取付部と係合する２個の係合部と、前記基盤
部材の前記摺動方向の上流側端部に形成され、前記基盤部材の端部から下面側に突出する
連結部と、前記連結部と連結し前記基盤部材と対向するとともに、前記摺動方向に配置さ
れた支持部と、前記支持部に直角になるように連結し、前記摺動方向に延設されるととも
に前記フロントモニタ用受光素子を前記スライドベースのＦＳＰＤ取付部に押圧する押え
部とを備えるＦＳＰＤ押え部と、前記基盤部材の前記摺動方向の上流側端部形成され、前
記基盤部材の端部から下面側に突出する連結部と、前記連結部に連設され、前記基盤部材
と対向するとともに、前記摺動方向に延設されるスライドベース押え部とを備える２個の
クランプ部と、前記基盤部材の前記摺動方向の上流側端部に該摺動方向に延設される把持
部とを有しており、金属板を切り曲げることで形成され、前記アクチュエータ支持部及び
支持押圧部の突出高さは前記スライドベースに配置したときに前記コリメータレンズの露
出部の高さよりも高くなるように形成されていることを特徴とする光ヘッド組立治具を提
供する。
【００２１】
この構成によると、前記光ヘッドを組み立てるときに前記スライドベースと前記アクチ
ュエータの間を一定の間隔に保つことができ、前記スライドベースに取り付けられたコリ
メータレンズと前記アクチュエータとが干渉、接触するのを防止することができる。また
、前記係合部と前記スライドベースのアクチュエータ取付部とが係合することと、前記ク
ランプ部が前記スライドベースを挟持するので前記スライドベースと前記光ヘッド組立治
具とがずれにくい。
【００２２】
また、フロントモニタ用光学素子を前記ＦＳＰＤ押え部で押えるので、該フロントモニ
タ用光学素子がずれたり、脱落したりするのを防ぐことができる。前記コリメータレンズ
包囲部及び前記係合部は摺動方向の下流側に開口部を有し、前記ＦＳＰＤ押え部及び前記
クランプ部は前記摺動方向の上流側に連結部を有しているので、前記スライドベース及び
前記アクチュエータの構成部材と干渉することなく摺動撤去することができる。
【００２３】
上記目的を達成するため本発明は、光ディスクにレーザ光を照射する光ヘッドの組立時
に、該光ディスクを構成するスライドベースとアクチュエータとの間に配置され、組み立
て終了後に所定の摺動方向に摺動することで取り外される治具であって、前記スライドベ
ースに接触配置される基盤部材と、前記基盤部材に形成される切欠きであって、前記摺動
方向の下流側に開口を有し、前記スライドベースに配置されたコリメータレンズを非接触
で包囲するコリメータレンズ包囲部と、前記コリメータレンズ包囲部に隣設され、前記基
盤部材の上面側に突出するともに前記摺動方向に延び前記アクチュエータの底部を支持す
る１又は複数個のアクチュエータ支持部と、前記基盤部材の上面側に突出し、前記摺動方
向に延び前記アクチュエータの底部を支持するとともに前記スライドベースに取り付けら
れるフロントモニタ用受光素子の上部を前記該摺動方向と直交する方向押圧する支持押圧
部と、前記基盤部材に形成される切欠きであって、前記摺動方向の下流側に開口を有し、
前記スライドベースに形成されるアクチュエータ取付部と係合する1又は複数個の係合部
と、前記基盤部材の前記摺動方向の上流側に連結し、前記フロントモニタ用受光素子を前
記スライドベースのＦＳＰＤ取付部に押圧するＦＳＰＤ押え部と、前記基盤部材の前記摺
動方向の上流側端部に連結し、前記スライドベースを挟持する１又は複数個のクランプ部
とを有しており、前記アクチュエータ支持部及び支持押圧部の突出高さは前記スライドベ
ースに配置したときに前記コリメータレンズの露出部の高さよりも高くなるように形成さ
れていることを特徴とする光ヘッド組立治具を提供する。
【００２４】
この構成によると、前記光ヘッドを組み立てるときに前記スライドベースと前記アクチ
ュエータの間を一定の間隔に保つことができ、前記スライドベースに取り付けられたコリ
メータレンズと前記アクチュエータとが干渉、接触するのを防止することができる。また
、前記係合部と前記スライドベースのアクチュエータ取付部とが係合することと、前記ク
ランプ部が前記スライドベースを挟持するので前記スライドベースと前記光ヘッド組立治
具とがずれにくい。
【００２５】
また、フロントモニタ用光学素子を前記ＦＳＰＤ押え部で押えるので、該フロントモニ
タ用光学素子がずれたり、脱落したりするのを防ぐことができる。前記コリメータレンズ
包囲部及び前記係合部は摺動方向の下流側に開口部を有し、前記ＦＳＰＤ押え部及び前記
クランプ部は前記摺動方向の上流側に連結部を有しているので、前記スライドベース及び
前記アクチュエータの構成部材と干渉することなく摺動撤去することができる。
【００２６】
前記アクチュエータ支持部はアクチュエータを安定的に支持できるものであり、該アク
チュエータと前記コリメータレンズとが干渉、接触するのを防止できる個数形成されてい
るものを広く採用することができる。
【００２７】
前記係合部は前記スライドベースに形成されたアクチュエータ取付部の配置場所、配置
数によって決められるものとしてもよい。このとき、アクチュエータ取付部ごとに係合部
が形成されていてもよく、摺動撤去時に邪魔にならないように構成されているものとする
ことができる。
【００２８】
上記構成に置いて光ヘッド組立治具として、樹脂の一体成形にて製造されるもの、金属
板をプレス加工にて切り曲げることで製造されるものとしてもよい。
【発明の効果】
【００２９】
本発明によると、光ヘッドを組み立てるときの組立の手間及び時間を減らすことができ
、それだけ、短時間で効率よく光ヘッドを組み立てることができる。
【００３０】
また本発明によると、光ヘッドを組み立てるときにスライドベースに取り付けられるコ
リメータレンズと、アクチュエータのアクトベースが干渉、接触するのを防ぎ、前記光ヘ
ッドの組立時に前記コリメータレンズに傷がつくのを防止することができる。
【００３１】
さらに本発明によると、簡単な構造を有し、特殊な材料や複雑な装置を用いることなく
簡単に製造することができ、光ヘッドの組み立ての手間、時間を短縮することができ、ス
ライドベースに取り付けられるコリメータレンズと、アクチュエータのアクトベースが干
渉、接触するのを防ぎコリメータレンズに傷がつくのを防ぐことができる光ヘッド組立治
具を提供することができる。
を提供することができる。
【発明を実施するための最良の形態】
【００３２】
以下に本発明の実施形態を図面を参照して説明する。図１に光ヘッドの配置図を、図２
に図１に示す光ヘッドの平面図を、図３に図２に示す光ヘッドの側断面図を示す。図１、
２、３に示す光ヘッドはそれには限定されないがここでは、光ディスクに記録されている
データを読出す読出し専用の光ヘッドである。
【００３３】
図１に示すように光ヘッドＡはレーザ光源Ｌｄと、レーザ光を３ビーム化するグレーテ
ィングＧｒと、１／４波長板Ｑｂと、ミラーＭｒと、コリメータレンズＬｃと、対物レン
ズＬｂと、ハーフミラーＨｍと、受光素子Ｐｄと、フロントモニタ用受光素子Ｆｄとを有
している。
【００３４】
図２、３に示すように光ヘッドＡはスライドベース１とアクチュエータ２とを有してお
り、スライドベース１には、レーザ光源Ｌｄ、グレーティングＧｒ、１／４波長板Ｑｂ、
ハーフミラーＨｍ、ミラーＭｒ、コリメータレンズＬｃ、フロントモニタ用受光素子Ｆｄ
とが取り付けられ、対物レンズＬｂはアクチュエータ２に取り付けられる。
【００３５】
スライドベース１はアクチュエータ２を配置するためのアクチュエータ取付部１１と、
レーザ光源Ｌｄを取り付けるための光源取付部１２と、フロントモニタ用受光素子Ｆｄを
取り付けるためのＦＳＰＤ取付部１３と、スライドベース１が摺動するときに摺動ガイド
となるガイド軸と摺動可能に係合するための摺動孔１４と、アクチュエータ２の距離及び
傾角を調整するときにアクチュエータ調整具４が貫通するためのアクチュエータ調整孔１
０とを備えている。
【００３６】
レーザ光源ＬｄはレーザホルダＬｈに圧入されている。レーザ光源Ｌｄが圧入されたレ
ーザホルダＬｈをスライドベース１の光源取付部１２に配置し、固定することでレーザ光
源Ｌｄをスライドベース１に取付け固定することができる。レーザホルダＬｈはレーザ光
源Ｌｄのレーザ光出射部がスライドベース１の内側を向くように、すなわち、グレーティ
ングＧｒに向けてレーザ光を出射するように取り付けられている。
【００３７】
グレーティングＧｒ、１／４波長板Ｑｂ、ハーフミラーＨｍ、ミラーＭｒはスライドベ
ース１内部に一直線上に配置されている。ハーフミラーＨｍの側面には受光素子Ｐｄが取
り付けられている（図２参照）。レーザ光源Ｌｄより照射されたレーザ光グレーティング
Ｇｒにて３ビーム化され、１／４波長板Ｑｂを透過するときに偏光される。１／４波長板
Ｑｂを透過したレーザ光はミラーＭｒで反射され、レーザ光の進行方向は屈曲する。
【００３８】
ミラーＭｒにて屈曲したレーザ光の進行方向の先にはコリメータレンズＬｃが取り付け
られている。コリメータレンズＬｃは一部がスライドベース１の上面より突出して取り付
けられている。コリメータレンズＬｃはコリメータレンズＬｃを通過するレーザ光を平行
光にするものである。コリメータレンズＬｃを出射したレーザ光はアクチュエータ２に保
持された対物レンズＬｂに入射する。対物レンズＬｂに入射したレーザ光は集光され、レ
ーザスポットとして光ディスクＤｓの記録面の所定の位置に照射するように対物レンズＬ
ｂから出射する。
【００３９】
光ディスクＤｓに照射されたレーザ光は記録層で反射し、対物レンズＬｂ、コリメータ
レンズＬｃ、ミラーＭｒを通ってハーフミラーＨｍに入射する。ハーフミラーＨｍは入射
されたレーザ光の半分を透過し半分を反射するミラーであり、光ディスクＤｓで反射した
光の一部を受光素子Ｐｄに導くものである。受光素子Ｐｄは光を電気信号に変換するもの
であり、その変換された電気信号の強さによってデータを読み取るものである。
【００４０】
このときレーザ光の光軸と光ディスクＤｓの記録層とが垂直になるようにレーザ光を照
射するものが好ましい。レーザ光の光軸と光ディスクＤｓの記録層とが垂直になることで
反射光が正確に光ヘッドに入射する。
【００４１】
スライドベース１のミラーＭｒが配置される部分の背面側にＦＳＰＤ取付部１３が形成
されており、フロントモニタ用受光素子Ｆｄが、支持基板１３１に接続された状態で取り
付けられている。フロントモニタ用受光素子Ｆｄはレーザ光源より出射されミラーＭｒの
反射領域から外れたレーザ光を受光しレーザ光源Ｌｄより出射されるレーザ光の強度を測
定する。
【００４２】
レーザ光源Ｌｄは熱等の外因によって出力が変動するので、フロントモニタ用受光素子
Ｆｄで測定したレーザ光の強度を基に出力を調整することで、レーザ光源Ｌｄは常に一定
強度のレーザ光を出射することができる。支持基板１３１はフロントモニタ用受光素子Ｆ
ｄで測定したレーザ光の強度情報を図示を省略した制御部に送信するための配線基板であ
る。それには限定されないが、ここではＦＰＣ等のフレキシブル基板を採用している。
【００４３】
図２、図３に示すように、アクチュエータ２はアクトベース２１と、対物レンズＬｂを
保持するレンズホルダ２２と、アクトベース２１に固定され、レンズホルダ２２を支持す
る支持部材２３と、レンズホルダ２２と支持部材２３を連結し、レンズホルダ２２に電力
を供給するとともに弾性支持するワイヤーばね２４とを有している。
【００４４】
アクトベース２１は底部２１１と、底部２１１より突出する突出部２１２と、底部２１
１に形成されレンズホルダ２２を非接触に貫通するヨーク２１３と、スライドベース１に
形成されたアクチュエータ取付部１１と係合する取付孔２１０とを有している。突出部２
１２は対向する位置に２個形成されている。ヨーク２１３は２個の突出部２１２の間に突
出部２１２とは直交する方向に対向して２個形成されている。突出部２１２には永久磁石
２１４が配置されており、永久磁石２１４より発生する磁界がレンズホルダ２２に作用す
る。
【００４５】
レンズホルダ２２はレーザ光が透過するための貫通孔２２１が形成されており、貫通孔
を挟むようにヨーク２１３が挿入されるヨーク挿入用の孔２２２が形成されている。レン
ズホルダ２２の貫通孔２２１には対物レンズＬｂが固定されている。レンズホルダ２２に
はレンズホルダ２２を駆動しレンズホルダ２２に保持されている対物レンズＬｂと光ディ
スクＤｓとの距離を調整するフォーカシングコイル（図示省略）と、対物レンズＬｂを光
ディスクＤｓの半径方向に移動させるためのトラッキングコイル（図示省略）とを備えて
いる。
【００４６】
レンズホルダ２２はアクトベース２１のヨーク２１３がヨーク挿入用の孔を貫通するよ
うに配置される。このようにレンズホルダ２２を配置することで突出部２１２に配置され
た永久磁石２１４の磁界がレンズホルダ２２に作用する。アクトベース２１には支持部材
２３が配置されており、レンズホルダ２２は弾性を有するワイヤーばね２４を介して支持
部材２３に支持されている。レンズホルダ２２はアクトベース２１の底部２１１とは接触
しないように支持されている。
【００４７】
アクチュエータ２はスライドベース１に接着剤にて固定される。アクトベース２１の取
付孔２１０はアクチュエータ２をスライドベース１に配置したときにスライドベース１の
アクチュエータ取付部１１に対応する場所に形成されており、アクチュエータ取付部１１
とアクトベース２１の取付孔２１０とを係合して接着剤にて接着し、組み立てられる。
【００４８】
図４に本発明にかかる光ヘッド組立治具の平面図を、図５に図４に示す光ヘッド組立治
具の正面図を、図６に図４に示す光ヘッド組立治具の側面図を示す。光ヘッド組立治具３
はそれには限定されないが、ここでは、アルミニウム等の金属板をプレス加工にて切り曲
げて製造されるものである。
【００４９】
図４に示すように光ヘッド組立治具３は、矢線で示す摺動方向Ａｒ１に摺動することで
、光ヘッドＡ製造後取り外されるものである。光ヘッド組立治具３は、基盤部材３０と、
コリメータレンズ包囲部３１と、アクチュエータ支持部３２と、支持押圧部３３と、係合
部３４と、ＦＳＰＤ押え部３５と、クランプ部３６と、把持部３７とを有している。
【００５０】
コリメータレンズ包囲部３１は摺動方向Ａｒ１の下流側に開口部３１０が形成されてい
る。アクチュエータ支持部３２は第１支持部３２１及び第２支持部３２２とを有しており
、第１支持部３２１及び第２支持部３２２はコリメータレンズＬｃを包囲するコリメータ
レンズ包囲部３１に隣接して形成されている。第１支持部３２１及び第２支持部３２２は
摺動方向Ａｒ１に延びる形状を有しており、それには限定されないがここでは、コリメー
タレンズ包囲部３１から互いに反対方向に切り起こされた形状を有している。
【００５１】
支持押圧部３３は切り起こされることで形成されるものであり、摺動方向Ａｒ１に延び
る形状を有している。支持押圧部３３は光ヘッドＡを組み立てたときにフロントモニタ用
受光素子Ｆｄを取り付けた支持基板１３１の上部を摺動方向Ａｒ１と直交する方向に押圧
している。また、支持押圧部３３はアクチュエータ２を配置したとき、第１支持部３２１
及び第２支持部３２２とともにアクチュエータ２を安定して支持することができる位置に
形成される。
【００５２】
図５、図６に示すように第１支持部３２１及び第２支持部３２２の突出高さと支持押圧
部３３の突出高さが異なっているが、これは、アクトベース２１の底部２１１の段差に合
わせているものであり、異なる高さで形成されることで、アクチュエータ２を光ヘッド組
立治具３の上に配置したときに水平になるように決定されている。
【００５３】
係合部３４はスライドベース１に形成されたアクチュエータ２を取り付けるためのアク
チュエータ取付部１１と係合するものである。係合部３４は２個形成されており、係合部
３４の摺動方向Ａｒ１の下流部側は開口部３４０が形成されている。図４中に示す係合部
３４のうち、下方の係合部３４は短く形成されているが、これは、後述するようにスライ
ドベース１のアクチュエータ調整孔１０から調整具４を貫通させてアクチュエータ２の傾
角、距離の調整を行うときに、邪魔にならないようにするためであり、邪魔にならない場
所に形成されるものであれば、長く形成されていても構わない。
【００５４】
ＦＳＰＤ押え部３５は基盤部材３０の摺動方向Ａｒ１の上流側端部に形成されている。
ＦＳＰＤ押え部３５は基盤部材３０の下面側に突出し、基盤部材３０の端部と連結する連
結部３５１と、連結部３５１に連設され、基盤部材３０と対向する支持部３５２と、支持
部３５２と所定の角度（ここでは直角）をなすように連設される押え部３５３とを有して
いる。押え部３５３は弾性力を有しており、後述するように接着前のフロントモニタ用受
光素子Ｆｄ及び支持基板１３１の下部を摺動方向Ａｒ１に直交する方向に押えることで、
ずれたり、脱落したりするのを防止する。
【００５５】
クランプ部３５は基盤部材３０の摺動方向Ａｒ１の上流側端部に形成されている。クラ
ンプ部３５は所定の長さ離れて２個形成されており、基盤部材３０の端部と連結し、端部
から下方に延びる連結部３６１と、連結部３６１に連接され摺動方向Ａｒ１に延設される
スライドベース押え部３６２を備えている。スライドベース押え部３６２は弾性力を有し
ており、その弾性力によってスライドベース１を挟着する。
【００５６】
図７に本発明にかかる光ヘッド組立治具を装着した状態の光ヘッドの側断面図を、図８
に図７に示す光ヘッドの平面図を示す。図７に示すように光ヘッド組立治具３は基盤部材
３０がスライドベース１に密着するように配置される。このとき、クランプ部３６がスラ
イドベース１をスライドベース１の端部より挟持しており、光ヘッド組立治具３がスライ
ドベース１からずれたり、浮き上がったりするのを防いでいる。
【００５７】
光ヘッド組立治具３はスライドベース１のアクチュエータ取付部１１と係合部３４とが
係合するように配置される。このように、アクチュエータ取付部１１と係合部３４とを係
合することで、コリメータレンズＬｃがコリメータレンズ包囲部３１に光ヘッド組立治具
３と接触、干渉しないように配置される。
【００５８】
図７、８に示すように光ヘッド組立治具３をスライドベース１に配置することで、スラ
イドベース１のＦＳＰＤ取付部１３に取り付けられ、フロントモニタ用受光素子Ｆｄが取
り付けられた支持基板１３１の上部を支持押圧部３３で摺動方向Ａｒ１と直交する方向に
押える。また、支持基板１３１の下部をＦＳＰＤ押え部３５で押えて、支持基板１３１及
び支持基板１３１に取り付けられたフロントモニタ用受光素子Ｆｄが、ＦＳＰＤ取付部１
３からずれたり外れたりするのを防いでいる。
【００５９】
このとき、係合部３４がスライドベース１のアクチュエータ取付部１１と係合している
ので、光ヘッド組立治具３がＦＳＰＤ押え部３５の押え部３５３の弾性力の反力によって
摺動方向Ａｒ１に直交する方向に移動するのを防いでいる。このことにより押え部３５３
が支持基板１３１の下部を弾性力にて押え、フロントモニタ用受光素子ＦｄがＦＳＰＤ取
付部１３からずれたり、脱落したりするのを防止している。
【００６０】
光ヘッド組立治具３をスライドベース１に取り付けた状態で、アクトベース２１に形成
された取付孔２１０をスライドベース１のアクチュエータ取付部１１が貫通するようにア
クチュエータ２を配置する。このとき、アクトベース２１は光ヘッド組立治具３のアクチ
ュエータ支持部３２（３２１、３２２）及び支持押圧部３３にて支持されるので、スライ
ドベース１と一定の間隙をあけて配置される。これにより、アクトベース２１とコリメー
タレンズＬｃのスライドベース１より突出する部分が干渉、接触するのを防止することが
できる。
【００６１】
この状態でスライドベース１のアクチュエータ調整孔１０よりアクチュエータ調整具４
を挿入し、アクトベース２１の底面に形成された係合部（不図示）と係合させ、傾角、距
離の調整を行う。以下に光ヘッドの組立手順の詳細について説明する。
【００６２】
図９に本発明にかかる光ヘッド組立治具を用いた光ヘッド製造方法のフローチャートを
示す。まず、スライドベース１の所定の場所にレーザ光源Ｌｄ、グレーティングＧｒ、ハ
ーフミラーＨｍ、受光素子Ｐｄ、１／４波長板Ｑｂ、ミラーＭｒ、コリメータレンズＬｃ
、フロントモニタ用受光素子Ｆｄを配置する（ステップＳ１）。このとき、レーザ光源Ｌ
ｄはレーザホルダＬｈに圧入固定されており、レーザホルダＬｈをスライドベースＳ１の
光源取付部１２に図示を省略したボルトにて取付け固定されている。また、受光素子Ｐｄ
は制御基板１５１に取り付けられており、制御基板１５をボルトにてスライドベース１の
受光素子取付部１５に取り付けることで受光素子Ｐｄが固定される。
【００６３】
その後、スライドベース１の上面に光ヘッド組立治具３をコリメータレンズＬｃと干渉
、接触しないように配置する（ステップＳ２）。このとき、光ヘッド組立治具３の係合部
３４はスライドベース１のアクチュエータ取付部１１と係合しており、クランプ部３６は
スライドベース１の摺動方向下流側から挟持している。これにより、光ヘッド組立治具３
はスライドベース１に対して、摺動したり、浮き上がったりするのを防ぐことができる。
【００６４】
さらに、このときフロントモニタ用受光素子Ｆｄが取り付けられた支持基板１３１の上
部を、支持押圧部３３が、下部をＦＳＰＤ押え部３５の押え部３５３が押えられており、
フロントモニタ用受光素子Ｆｄ及びフロントモニタ用受光素子Ｆｄが取り付けられた支持
基板１３１がスライドベース１のＦＳＰＤ取付部１３からずれたり、脱落したりするのを
防いでいる。
【００６５】
そして、接着が必要な光学素子（例えば、グレーティングＧｒ、ハーフミラーＨｍ、１
／４波長板Ｑｂ、フロントモニタ用受光素子Ｆｄが取り付けられた支持基板１３１等）に
接着剤を塗布して接着する（ステップＳ３）。このとき、接着剤はレーザ光に影響が出な
い部分に塗布されるものである。
【００６６】
アクチュエータ２を配置する（ステップＳ４）。アクチュエータ２の組み立ては、以下
のとおりである。アクトベース２１に支持部材２３及びアクトベース２１の突出部２１２
に永久磁石２１４を取り付ける。レンズホルダ２２に対物レンズＬｂを取付け固定し、レ
ンズホルダ２２のヨーク挿入用の孔２２２をアクトベース２１のヨーク２１３が貫通する
ように配置し、支持部材２３とレンズホルダ２２をワイヤーばね２４で連結する。レンズ
ホルダ２２はワイヤーばね２４にて弾性支持されるので、アクトベース２１の底部２１１
に接触せず浮遊した状態で静止している。アクチュエータ２は別途製造されるものであっ
てもよく、スライドベース１に光学部品を取り付けるのと並行して製造してもよい。
【００６７】
このように、スライドベース１に光ヘッド組立治具３を取り付けた状態でアクチュエー
タ２を配置するので、アクチュエータ２を傾角調整するまでの間、アクトベース２１とス
ライドベース１に配置されるコリメータレンズＬｃのスライドベース１より突出した部分
とが干渉及び（又は）接触することなく支持することができる。
【００６８】
そして、光ヘッド組立治具３の把持部３７を把持して摺動方向Ａｒ１に引き抜き（ステ
ップＳ５）、アクチュエータ２の傾角を調整する（ステップＳ６）。アクチュエータ２の
傾角調整は、アクトベース２の底部２１１と係合するアクチュエータ調整具４をスライド
ベース１に形成されているアクチュエータ調整孔１０を貫通させ、アクチュエータ２のア
クトベース２１に形成されている係合部（図示省略）と係合させ、アクチュエータ２を持
ち上げる。その後、光ディスクの適正な位置にレーザ光が照射されるようにアクチュエー
タ２の傾角及びスライドベース１からの距離を調整する。
【００６９】
その後、アクトベース２１の取付孔２１０とスライドベース１のアクチュエータ取付部
１１とに接着剤を付着し、互いに動かないように接着固定する（ステップＳ７）。これに
より、光ヘッドＡの製造が完了する。
【００７０】
光ヘッド組立治具３を取り付けることで、フロントモニタ用受光素子Ｆｄ及びフロント
モニタ用受光素子Ｆｄが取り付けられた支持基板１３１がスライドベース１のＦＳＰＤ取
付部１３に取り付けられてから、接着されるまでの間脱落するのを防止することができ、
それだけ、光ヘッドＡの製造の手間を省くことができる。また、このように押えることが
できるので、光ヘッドＡを製造するときに光学部品を配置する工程と、光学部品を接着す
る工程に分離しても不具合が発生しにくく、製造工程の簡略化を図ることができる。
【００７１】
また、スライドベース１にアクチュエータ２を仮置きしたときに、アクトベース２１が
スライドベース１に配置されるコリメータレンズＬｃと接触、干渉し、コリメータレンズ
Ｌｃに傷をつけたり、破損したりするのを防止することができる。これにより、アクチュ
エータ２の仮置きと傾角調整を別の場所（装置）で行うことができ、製造工程の簡略化が
できる。さらには、仮置き時の衝撃や不意の力が傾角調整装置に加わり精度が低下するの
を抑制することができる。
【００７２】
上記実施例において、光ヘッド組立治具３は金属板をプレス加工にて切り曲げることで
形成されるものを示しているが、それに限定されるものではなく、樹脂の一体成形による
もの等十分な強度及び精度を有する光ヘッド組立治具を製造できる製造方法を広く採用す
ることができる。
【００７３】
上記実施例においてＦＳＰＤ押え部３５の連結部３５１及びクランプ部３６の連結部３
６１は基盤部材３０の摺動方向Ａｒ１の上流側端部に連結するものを示しているが、それ
に限定されるものではなく、光ヘッド組立治具３を取り除くときに邪魔にならない形状の
ものを広く採用することができる。また、アクチュエータ支持部３２は第１支持部３２１
及び第２支持部３２２の２個の備えているものを示しているが、それに限定されるもので
はなく、アクチュエータを安定して支持できる個数のものを広く採用することができる。
【産業上の利用可能性】
【００７４】
本発明の光ディスクローディング装置は、ＤＶＤ、ＣＤ等の光ディスクを記録媒体とす
る光ディスク装置において適用することができる。
【図面の簡単な説明】
【００７５】
【図１】光ヘッドの配置図である。
【図２】図１に示す光ヘッドの平面図である。
【図３】図２に示す光ヘッドの側断面図である。
【図４】本発明にかかる光ヘッド組立治具の平面図である。
【図５】図４に示す光ヘッド組立治具の正面図である。
【図６】図４に示す光ヘッド組立治具の側面図である。
【図７】本発明にかかる光ヘッド組立治具を装着した状態の光ヘッドの側断面図である。
【図８】図７に示す光ヘッドの平面図である。
【図９】本発明にかかる光ヘッド組立治具を用いた光ヘッド製造方法のフローチャートである。
【図１０】光ヘッドの組立時の側断面図である。
【符号の説明】
【００７６】
Ａ  光ヘッド
Ｌｄ  レーザ光源
Ｌｈ  レーザホルダ
Ｇｒ  グレーティング
Ｑｂ  １／４波長板
Ｈｍ  ハーフミラー
Ｍｒ  ミラー
Ｌｃ  コリメータレンズ
Ｌｂ  対物レンズ
Ｐｄ  受光素子
Ｆｄ  フロントモニタ用受光素子
１  スライドベース
１０  アクチュエータ調整孔
１１  アクチュエータ取付部
１２  光源取付部
１３  ＦＳＰＤ取付部
１３１  支持基板
１４  摺動孔
１５  受光素子取付部
１５１  制御基板
２  アクチュエータ
２１  アクトベース
２１０  取付孔
２１１  底部
２１２  突出部
２１３  ヨーク
２１４  永久磁石
２２  レンズホルダ
２２１  貫通孔
２２２  ヨーク挿入用孔
２３  支持部材
２４  ワイヤーばね
３  光ヘッド組立治具
３０  基盤部材
３１  コリメータレンズ包囲部
３１０  開口部
３２  アクチュエータ支持部
３２１  第１支持部
３２２  第２支持部
３３  支持押圧部
３４  係合部
３４０  開口部
３５  ＦＳＰＤ押え部
３５１  連結部
３５２  支持部
３５３  押え部
３６  クランプ部
３６１  連結部
３６２  スライドベース押え部
３７  把持部
【図１】
2006302382.tif 000003
【図２】
2006302382.tif 000004
【図３】
2006302382.tif 000005
【図４】
2006302382.tif 000006
【図５】
2006302382.tif 000007
【図６】
2006302382.tif 000008
【図７】
2006302382.tif 000009
【図８】
2006302382.tif 000010
【図９】
2006302382.tif 000011
【図１０】
2006302382.tif 000012